Podtech/llm-jp-corpus-v4-ja_patent huggingface dataset:
(57)【要約】      （修正有）【課題】プレー中に外れたりプレーの邪魔になったりすることがないドライバーヘッドカバーを提供する。【解決手段】ドライバーヘッドカバーは、ドライバーヘッドカバーの外側面にティーを保持する保持部を設ける。【選択図】図１
0003172414.tif 000002
【実用新案登録請求の範囲】
【請求項１】
ドライバーヘッドカバーの外側面にティーを保持する保持部を設けたことを特徴とするドライバーヘッドカバー。
【請求項２】
保持部は、ゴムの入った伸縮自在なバンドで構成されていることを特徴とする請求項１記載のドライバーヘッドカバー。
【請求項３】
保持部は、ドライバーヘッドカバーの膨大部の下方位置に設けられており、ドライバーヘッドカバーの下部位置には把持部が設けられていることを特徴とする請求項１記載のドライバーヘッドカバー。
【考案の詳細な説明】
【技術分野】
【０００１】
本考案は、ゴルフに使用するドライバーのヘッドを保護するために用いるドライバーヘッドカバーに関するものである。
【背景技術】
【０００２】
ゴルフクラブ用のアクセサリーとして種々のヘッドカバーが開発され使用されている。このヘッドカバーは、クラブヘッドの形状に合わせて袋状に形成されており、使用者の好みに合わせて各種材質・デザイン・各色のものが使用されている。
【先行技術文献】
【特許文献】
【０００３】
【特許文献１】特開平９−２９４８３６号公報
【特許文献２】実用新案登録第３０９６７００号公報
【考案の概要】
【考案が解決しようとする課題】
【０００４】
通常、１８ホール中１４回以上ドライバーショットをするが、ドライバーショットをする際に使用するティーは、小さいものなのでスラックスやシャツのポケットに入れて持ち運ぶことが可能ではあるが、プレーの邪魔になったり、紛失することが多いので、プレーの際に不都合を生じることがある。また、泥のついたティーをポケットに入れて持ち運ぶと、衣服に汚れが付着してしまう。このため、プレー中に素早く取り出すことができるようにプレーヤーのウエアーや靴に直接取り付けるようにしたティーホルダーが開発されているが、これらは、ベルトに通したり、クリップでウエアーや靴に留めたりするものであり、プレー中に外れたりプレーの邪魔になったりすることが多いという問題点を有するものである。
【０００５】
本考案は、上記問題点に鑑みてなされたものであり、ズボンからの出し入れを無くすことができるので、ポケットの汚れを防止するとともに、ズボンの膨らみも防止でき、更には、プレー中に外れたりプレーの邪魔になったりすることのないドライバーヘッドカバーを提供することを目的とするものである。
【課題を解決するための手段】
【０００６】
上記目的を達成するため、本考案に係るドライバーヘッドカバーは、ドライバーヘッドカバーの外側面にティーを保持する保持部を設けたことを特徴とする。
【考案の効果】
【０００７】
以上のように、本考案に係るドライバーヘッドカバーは、ドライバーヘッドカバーの外側面にティーを保持する保持部を設けたことを特徴とするものであり、ティーを取り付けたヘッドカバーをドライバーヘッドカバーにセットしておけば、プレーの際にティーを素早く取り出すことができるとともに、ティーの紛失とポケットの汚れを防止でき、更には、プレー中に外れたりプレーの邪魔になったりすることが無いという効果がある。
【図面の簡単な説明】
【０００８】
【図１】図１は本考案のドライバーヘッドカバーの右側面図である。
【図２】図２は本考案のドライバーヘッドカバーの正面図である。
【図３】図３は本考案のドライバーヘッドカバーの左側面図である。
【考案を実施するための形態】
【０００９】
以下、本考案を図面に示した実施の形態により詳細に説明する。
【実施例】
【００１０】
ドライバーヘッドカバー１は、ドライバーヘッドを収納する膨大部２と、ドライバーヘッドカバーの下部位置には把持する把持部３が設けられており、ドライバーヘッドカバー１の外側面における右側面にティー４を保持する保持部５が設けられている。ドライバーヘッドカバー１の全長を２７センチメートルとすると、上端より１３センチメートル、下端より１２センチメートルの位置に幅２センチメートルの位置の外側面にティー４を保持する保持部５が縫うことで固定されている。
【００１１】
このようにドライバーヘッドカバー１の外側面における右側面にティー４を保持する保持部５が設けることで、保持部５に差し込んだティー４は、膨大部２の下方位置に配置されることとなり、カバーの上面に保持部５を設けたものに比し、フードに接触して落下するのを防止することができるものであるとともに、カバーの正面に保持部５を設けたものに比し、アイアン、ウッドに接触して落下するのを防止することができるものである。
【００１２】
ドライバーヘッドカバー１は、内面はドライバーヘッドを保護するためにボアのような柔らかい材質で形成されており、外面は防水性を有するよう合成樹脂をコーティングした材質で形成されている。
【００１３】
保持部５は、幅２センチメートル、長さ１６センチメートルの伸縮性のある布ゴム製の帯６で形成されており、帯６は、ティー４を差し込んで保持する直径３ミリメートル程度のポケット状の穴７を２箇所設けている。このように、伸縮性のある布ゴム製の帯６を使用することで、ティー４をティショットする際に容易に取り出すことが可能となるものである。伸縮性のある布ゴム製の帯６は、伸縮性があり、直径３ミリメートル程度のポケット状の穴７にティー４が確り固定され、不用意に脱落したりしないものである。
【００１４】
保持部５は、ドライバーヘッドカバー１の所定位置に縫うことで固定された実施例について説明したが、これに変えて、一方の面状ファスナーをドライバーヘッドカバー１の所定位置に縫い付け、保持部５を設けた他方の面状ファスナーを一方の面状ファスナーに着脱自在とし、水洗いができるようにしたものでも構わないものである。
【符号の説明】
【００１５】
１    ドライバーヘッドカバー
２    膨大部
３    把持部
４    ティー
５    保持部
６    帯
７    ポケット状の穴
【図１】
0003172414.tif 000003
【図２】
0003172414.tif 000004
【図３】
0003172414.tif 000005
(57)【要約】      （修正有）【課題】光沢及びその耐久性に優れ、厚くて微細な模様の飾り枠を有する賞状用紙を安価に提供する。【解決手段】厚紙２と、該厚紙２の表面に形成された飾り枠とを備えた賞状用紙において、飾り枠が、ワイヤー放電加工、レーザー加工などで微細加工された銅箔４と、該銅箔４の表面にメッキされたニッケル膜５と、更にその上にメッキされた金膜６とからなり、飾り枠が粘着剤７を介して厚紙２の表面に接着され、平面視で０．５ｍｍ以下の線間隔部分を有することを特徴とする。【選択図】図２
0003172415.tif 000002
【実用新案登録請求の範囲】
【請求項１】
厚紙と、厚紙の表面に形成された飾り枠とを備えた賞状用紙において、
前記飾り枠が、微細加工された銅箔と、銅箔の表面にメッキされたニッケル膜と、更にその上にメッキされた金膜とからなることを特徴とする賞状用紙。
【請求項２】
前記飾り枠が粘着剤を介して前記厚紙の表面に接着されている請求項１に記載の賞状用紙。
【請求項３】
前記飾り枠が、平面視で０．５ｍｍ以下の線間隔部分を有する請求項１又は２に記載の賞状用紙。
【考案の詳細な説明】
【技術分野】
【０００１】
この考案は、表彰状、証書、認定書、感謝状などに用いられる賞状用紙に関する。
【背景技術】
【０００２】
賞状用紙には、伝える、どんどん伸びる、飛躍するなどの意味を込めて蔦や鳳凰などの模様からなる飾り枠が描かれている。そして、賞状を授与される側の喜びを増して賞状発行の対象となる行為を奨励するため、飾り枠を金粉含有インクで印刷する（非特許文献１）、金箔で箔押しする（非特許文献２）など、豪華さを増す工夫がなされている。飾り枠は、その模様が細かいほど、また厚いほど高級感及び重量感があって豪華に見える。
【先行技術文献】
【非特許文献】
【０００３】
【非特許文献１】ＯＦＦＩＣＥ  ２１＞ＯＡ用紙・紙製品＞典礼用品＞賞状用紙，[online]，２０１１年９月２１日検索，インターネット<URL: http://www.office21.net/sys/syousai_424_and_10-1067.html>
【非特許文献２】オキナ株式会社ホームページ  ホーム＞商品情報＞日用・事務用品＞ＯＡ対応金箔賞状用紙，[online]，２０１１年９月２１日検索，インターネット<URL: http://www.okina.co.jp/products/daily/sg.html>
【考案の概要】
【考案が解決しようとする課題】
【０００４】
しかし、印刷ではせっかくインクに金粉が混ぜられていても光沢に乏しくしかも時間の経過とともに色が褪せるうえ、平面的である。一方、箔押しでは、０．５ｍｍ以下の線間隔を有する微細な模様を描くことができないうえ、純金箔でなければ時間の経過とともに腐食するし、純金箔であれば厚くするほど金の使用量とともにコストが増す。
それ故、この考案の課題は、光沢及びその耐久性に優れ、厚くて微細な模様の飾り枠を有する賞状用紙を安価に提供することにある。
【課題を解決するための手段】
【０００５】
その課題を解決するために、この考案の賞状用紙は、
厚紙と、厚紙の表面に形成された飾り枠とを備えた賞状用紙において、
前記飾り枠が、微細加工された銅箔と、銅箔の表面にメッキされたニッケル膜と、更にその上にメッキされた金膜とからなることを特徴とする。
【０００６】
この考案の賞状用紙の飾り枠は、ワイヤー放電加工、レーザー加工などの公知の手段で微細加工された銅箔の上にメッキ膜が形成されたものである。従って、例えば平面視で０．５ｍｍ以下の線間隔部分を有する極めて微細な模様も可能である。また、飾り枠は、最表面が金メッキ膜であるから、腐食することもなく長期間優れた光沢を有する。そして、メッキ膜の土台として銅箔が存在するので、製造コストが安価である割に十分な厚みを有する。ニッケル膜は、金と銅の相互拡散を防止する。
【考案の効果】
【０００７】
以上のように、この発明の賞状用紙は、飾り枠が光沢に優れ、厚くて微細な模様を有するので、高級感及び重量感があり、授与される者の喜びを増す。
【図面の簡単な説明】
【０００８】
【図１】実施形態の賞状用紙を示す平面図である。
【図２】図１におけるＸＸ線断面図である。
【考案を実施するための形態】
【０００９】
賞状用紙１は、図１に示すように厚紙２と、厚紙２の表面に形成された飾り枠３とを備えている。飾り枠３は、ワイヤー放電加工、レーザー加工などで微細加工された銅箔４と、銅箔４の表面にメッキされたニッケル膜５と、更にその上にメッキされた金膜６とからなる。銅箔４の厚みは５μｍである。ニッケル膜５は１〜３μｍの範囲、金膜６は０．０５〜０．５μｍの範囲で各々ほぼ一様な厚みを有する。飾り枠の最小線間隔ｄは、０．３ｍｍである。飾り枠３は、ゴム系粘着剤７を介して厚紙２の表面に接着されている。
【００１０】
飾り枠３は、最表面が金膜６であるから、腐食することもなく長期間優れた光沢を有する。そして、メッキ膜５、６の土台として銅箔４が存在するので、金膜６の厚さが通常の金箔と同程度の厚さであって製造コストが安価である割に合計６μｍを超える十分な厚みを有する。従って、高級感及び重量感があり、授与される者の喜びを増す。
【符号の説明】
【００１１】
１  賞状用紙
２  厚紙
３  飾り枠
４  銅箔
５  ニッケル膜
６  金膜
７  粘着剤
【図１】
0003172415.tif 000003
【図２】
0003172415.tif 000004
(57)【要約】      （修正有）【課題】長時間装着しても痛みを感じることを可及的に抑制でき、しかも脱落しにくいイヤリングを提供する。【解決手段】耳たぶをクリップ部材２で挟持することで装着するイヤリングにおいて、正面視した状態で、クリップ部材を耳たぶの縁部と略相似する湾曲形状に形成すると共に、底面視した状態ではクリップ部材を直線状に形成した。装着時に耳たぶ裏面側にくるクリップ部材の先端部２ａを耳たぶ逆方向に折曲してもよい。【選択図】図１
0003172416.tif 000002
【実用新案登録請求の範囲】
【請求項１】
耳たぶをクリップ状金具で挟持することで装着するイヤリングにおいて、クリップ部材２を、正面視した状態で、耳たぶの縁部と略相似する湾曲形状に形成すると共に、底面視した状態では直線状に形成したイヤリング。
【請求項２】
装着時に耳たぶ裏面側にくるクリップ部材２の先端部２ａを耳たぶ逆方向に折曲した請求項1に記載のイヤリング。
【考案の詳細な説明】
【技術分野】
【０００１】
本考案は、耳たぶを挟むことで抜け止めするクリップ式のイヤリングに関する。
【背景技術】
【０００２】
イヤリングを耳に取り付けるための手段としては、大きく分けてネジ式とクリップ式がある。
【０００３】
ネジ式はイヤリングの耳の裏面に来る側にネジが設けられており、該ネジを出没させることで耳たぶを挟持し、あるいは取り外すものである。
【０００４】
クリップ式は、バネ等の弾性を利用して耳たぶを挟持するものである。
【０００５】
係るクリップ式のイヤリングの先行発明・考案を記載したものとして、Ｕ字形の挟み付け金具に、漸次隆起する突条を設け、イヤリングの脱落を防止するもの（実開昭６２−３９５０８号公報参照）、耳たぶを挟み付ける押圧部をＵ字形の挟み付け金具に設けたもの（実開平７−１６６１０号公報参照）、Ｕ字形の挟み付け金具をかまぼこ型に成形し、弾発力を高め脱落を防止するもの（特開平９−１１７３１２号公報参照）などがある。
【先行技術文献】
【特許文献】
【０００６】
【特許文献１】実開昭６２−３９５０８号公報
【特許文献２】実開平７−１６６１０号公報
【特許文献３】特開平９−１１７３１２公報
【考案の概要】
【考案が解決しようとする課題】
【０００７】
クリップ式のイヤリングは長時間の装着の際に痛くなる等の不都合があった。これはクリップの部分の幅が少しでも広いと脱落しやすいことから、おのずと点や狭い面で耳たぶを強くはさむ構造となっていることに起因する。例えば、図４は従来例を示すものであるが、クリップＡが線状バネとなっており、押圧部Ｂで点として耳たぶを挟持し、耳たぶに取り付けるものである。
【０００８】
本考案は、上記のような従来例の難点を解消することを目的とするものであり、長時間装着しても痛みを感じることを可及的に抑制でき、しかも脱落しにくいイヤリングを提供することを目的とする。
【課題を解決するための手段】
【０００９】
上記の目的を達成する本考案の構成は次の通りである。
【００１０】
（１）  請求項１に記載のイヤリングは、耳たぶをクリップ部材で挟持することで装着するイヤリングにおいて、正面視した状態で、クリップ部材を耳たぶの縁部と略相似する湾曲形状に形成すると共に、底面視した状態ではクリップ部材を直線状に形成した。
【００１１】
（２）請求項２に記載のイヤリングは、請求項１記載のイヤリングにおいて、装着時に耳たぶ裏面側にくるクリップ部材の先端部を耳たぶ逆方向に折曲した。
【考案の効果】
【００１２】
図３は人間の耳たぶを示すものである。縁部Ｃの内側には縁部Ｃと外縁が略相似な凹部Ｄが存する。
【００１３】
本考案に係るイヤリング１は、図２に示すように、縁部Ｃと凹部Ｄの境界の凹部Ｄ寄りに装着するものである。すなわち、縁部Ｃと凹部Ｄの境界には緩やかな段差があり、この段差にイヤリング１を係止させるのである。
【００１４】
しかも、イヤリング１のクリップ部材２は、耳たぶの縁部と略相似する湾曲形状に形成されていることから、つまりは縁部Ｃと凹部Ｄの境界部位と略相似形状を有することから、その全面が上記段差に沿う形状で係止されるのである。よって、本考案に係るイヤリング１は耳たぶから脱落しにくいものとなるのである。
【００１５】
図１ｂに示すように、クリップ部材２は直線状に形成されている。つまり、従来例のように点や狭い面で耳たぶを挟持する形状とはなっておらず、直線状の部分全体で耳たぶを挟持することになる。かように、接触面が広いことから長時間着用しても痛みを感じることは少ないのである。しかも、上述のように、耳たぶに存する段差で係止されるので、耳たぶを強く挟持せずとも、十分に支持されるので、より装着時の痛みを軽減することが可能となるのである。
【００１６】
請求項２記載の考案では、図１ｂに示すように装着時に耳たぶ裏面側に位置するクリップ部材２の先端部２ａを、耳たぶ逆方向に折曲してある。これは尖端で耳たぶを傷つけることを防止するためである。
【００１７】
本考案ではクリップ部材を耳たぶ縁部と略相似する形状に形成してあることから、耳たぶの下部から上部に至る長尺なイヤリングを提供することが可能となる。すなわち、装飾性に富むイヤリングの提供が可能となるのである。
【図面の簡単な説明】
【００１８】
【図１】ａ  本考案の正面図。
【００１９】
ｂ  同底面図。
【図２】装着状態を示す説明図。
【図３】耳たぶの形状を示す説明図。
【図４】従来例の斜視図。
【考案を実施するための形態】
【００２０】
以下、好ましい考案の一実施形態につき詳述する。
【００２１】
図１ａに示すように、本考案に係るイヤリング１はクリップ部材２と装飾体３とで形成されるものである。
【００２２】
クリップ部材２は図１においては弾性線材を使用しているが、他にも弾性棒状体、弾性板材等を使用できる。素材は金属、プラスチック、ゴム等を使用可能なものである。
【００２３】
クリップ部材２は正面視した状態で、耳たぶの縁部と略相似する湾曲形状に形成してあり、着用時に耳たぶ下端にくる側で折曲され、図１ｂに示すように底面視した状態で略Ｕ字型を呈するものである。かように、耳たぶ縁部に相似する形状を有することから、本考案は右の耳たぶ用、左の耳たぶ用が存することになり、図１に示されるイヤリング１は右の耳たぶに装着されるものである。
【００２４】
クリップ部材２の耳たぶ裏面側にくる先端部２ａは、図１ｂに示されるように耳たぶ逆方向に折曲されてある。図２においては円形に折曲してあるが、尖端が耳たぶに接触しない形状であれば直線状でも楕円状でもその他任意の形状に折曲可能なものである。
【００２５】
装飾体３はクリップ部材２と一体成形され、あるいはロウ付け、半田付け、のり付け、鋳造等により、クリップ部材２に結合されるものである。
【符号の説明】
【００２６】
１・・イヤリング
２・・クリップ部材
２ａ・・先端部
３・・装飾体
【図１】
0003172416.tif 000003
【図２】
0003172416.tif 000004
【図３】
0003172416.tif 000005
【図４】
0003172416.tif 000006
(57)【要約】【課題】高圧ガス保安法等の規制に抵触することなく、ガス製造業者の名称や他の製品紹介等を宣伝・発信することが可能なガスボンベを提供する。【解決手段】バルブを保護する保護キャップ１３を有するガスボンベ１１において、保護キャップ１３は、周壁に開口部１４が設けられるとともに、保護キャップの外周面を覆う帯状ラベル１６を設けている。帯状ラベル１６は、開口部１４を通じて保護キャップ１３の内部が視認可能な透明部１８を有している。帯状ラベル１６の表示部１７には、ガス製造業者の名称や製品紹介が印字されている。【選択図】図１
0003172552.tif 000002
【実用新案登録請求の範囲】
【請求項１】
バルブを保護する保護キャップを有するガスボンベにおいて、
前記保護キャップは、周壁に少なくとも一つの開口部が設けられるとともに、前記保護キャップの外周面を覆う帯状ラベルが設けられている
ことを特徴とするガスボンベ。
【請求項２】
前記帯状ラベルは、前記開口部を通じて前記保護キャップの内部が視認可能な透明部を有していることを特徴とする請求項１記載のガスボンベ。
【請求項３】
前記帯状ラベルには、広告宣伝に関する情報が印刷されていることを特徴とする請求項１又は２記載のガスボンベ。
【考案の詳細な説明】
【技術分野】
【０００１】
本考案は、バルブを保護する保護キャップを有するガスボンベに関し、詳しくは、保護キャップの外周面を帯状ラベルで覆ったガスボンベに関する。
【背景技術】
【０００２】
高圧ガス保安法等による法規制の対象であるガスボンベについては、容器の肉厚部分の見やすい箇所に、容器製造業者の名称（符号）、充填すべき高圧ガスの種類、製造番号等を明瞭且つ消えないように刻印しなければならない。また、充填するガスの種類に応じて、容器表面の１／２以上を定められた色に塗らなければならない（例えば、酸素；黒、水素；赤、液化炭酸ガス；緑、液化アンモニア；白、等。）。さらに、ガスの性質によって、ガス名を表示する文字色（可燃性であれば赤字、それ以外は白字、等。）が決まっていたり、性質を表示する文字（可燃性であれば「燃」の文字、毒性であれば「毒」の文字、等。）を記載しなければならなかったりと、様々な制約が課せられている。このようにガスボンベに刻印された製造番号等の情報を配送員や管理者が目視で確認する必要があり、管理負担が問題視されていたが、それを解決する手段として、これらの必要情報が含まれたバーコードラベル等のシールやＲＦＩＤタグを備えたガスボンベがあった。（例えば、特許文献１参照。）
【先行技術文献】
【特許文献】
【０００３】
【特許文献１】特開２００７−１００７１号公報
【考案の概要】
【考案が解決しようとする課題】
【０００４】
しかし、上述のものでは、配送員等の管理上の負担は解消されるものの、ガスを実際に利用する需要者に対して、ガス製造業者を認識してもらい、他の製品紹介や保安情報といった内容を表示する宣伝媒体として使用できるものではなかった。一方、高圧ガス保安法等では、刻印やバーコードラベルといった必要な情報を邪魔してしまうような記載をガスボンベの容器本体に施すことは禁止されている。
【０００５】
そこで、本考案は、高圧ガス保安法等の規制に抵触することなく、ガス製造業者の名称や他の製品紹介等を宣伝・発信することが可能なガスボンベを提供することを目的としている。
【課題を解決するための手段】
【０００６】
上記の目的を達成するため本考案のガスボンベは、バルブを保護する保護キャップを有するガスボンベにおいて、前記保護キャップは、周壁に少なくとも一つの開口部が設けられるとともに、前記保護キャップの外周面を覆う帯状ラベルが設けられていることを特徴としている。
【０００７】
また、前記帯状ラベルは、前記開口部を通じて前記保護キャップの内部が視認可能な透明部を有していることを特徴としている。さらに、前記帯状ラベルには、広告宣伝に関する情報が印刷されているとよい。
【考案の効果】
【０００８】
本考案のガスボンベによれば、高圧ガス保安法等の規制の対象となっていない保護キャップ部分に帯状ラベルを設けることで、ラベル部分にガス製造業者の名称や他の製品紹介等を記載することができ、宣伝媒体として活用することができる。
【０００９】
また、ラベルの透明部から開口部を通じて保護キャップ内部が見えることから、バルブに貼られた漏洩検査済みのシールについても確認することができる。
【図面の簡単な説明】
【００１０】
【図１】本発明の一形態例を示すガスボンベの一部正面図である。
【図２】同ガスボンベの一部側面図である。
【考案を実施するための形態】
【００１１】
以下、本考案の一形態例を図１、２に基づいて説明する。本形態例のガスボンベ１１は、容器本体１２の上部にバルブ（図示せず）を保護する保護キャップ１３が取り付けられている。保護キャップ１３は、釣鐘状に形成され、周壁の対向位置には開口部１４、１４がそれぞれ設けられている。保護キャップ１３は、下部の内周面に形成された雌ネジ（図示せず）を、容器本体１２の上部に形成された雄ネジ（図示せず）にねじ込むことで、バルブを保護するように容器本体１２に取り付けられる。保護キャップ１３の頭部には、６角の突部１５が突出して形成され、保護キャップ１３が緩まないようにスパナ等で増締めできるようになっている。
【００１２】
保護キャップ１３には、表示部１７と透明部１８とを有する帯状ラベル１６が外周面を覆うように取り付けられている。帯状ラベル１６は、筒状のシュリンクフィルムで形成され、透明部１８が開口部１４に一致するように保護キャップ１３に装着される。また、表示部１７には、ガス製造業者の名称とその業者の製品紹介が印刷されている。
【００１３】
このように、高圧ガス保安法等の規制の対象となっていない保護キャップ１３に各種情報を印刷した表示部１７を有する帯状ラベル１６を設けることにより、ガスボンベ１１を宣伝媒体として利用することができる。また、透明部１８と開口部１４とを一致させることにより、保護キャップ１３内部のバルブに貼られた漏洩検査済みのシール（図示せず）についても確認することができる。
【００１４】
なお、表示部には、ガス製造業者の名称や製品紹介以外にも、会社のロゴマーク、ホームページのＵＲＬ、ＱＲコード（登録商標）や安全喚起に関するコメント等、宣伝・発信したい目的に応じて様々な情報を印刷することができる。特に、自社製品だけでなく他社製品の広告等を印刷することで、広告宣伝収入を得ることも可能である。
【符号の説明】
【００１５】
１１…ガスボンベ、１２…容器本体、１３…保護キャップ、１４…開口部、１５…突部、１６…帯状ラベル、１７…表示部、１８…透明部
【図１】
0003172552.tif 000003
【図２】
0003172552.tif 000004
(57)【要約】【課題】  リードを迅速に連結できるペット用の首輪を実現する。【解決手段】  両端に任意の長さで係止可能な係止具を設けた帯状又は紐状の首輪本体１と、リードの連結具を連結するための連結環１０からなる首輪において、互いに間隔をおいた首輪本体の複数箇所に分布して複数の連結環を固定する。【選択図】      図１
0003172342.tif 000002
【実用新案登録請求の範囲】
【請求項１】
両端に任意の長さで係止可能な係止具を設けた帯状又は紐状の首輪本体と、リードの連結具を連結するための連結環からなる首輪において、互いに間隔をおいた首輪本体の複数箇所に分布して複数の連結環を固定したことを特徴とするペット用首輪。
【請求項２】
連結環は少なくとも３箇所に分布して配される請求項１記載のペット用首輪。
【請求項３】
連結環は首輪本体に対し擺動することにより起伏自在に固定される請求項１または２記載のペット用首輪。
【考案の詳細な説明】
【技術分野】
【０００１】
この考案は犬などのペットに使用するペット用首輪に関し、より詳細にはリード（引き綱）との連結性に意を払った首輪に関する。
【背景技術】
【０００２】
ペットの首輪は人間の管理の有無を示すために機能するが、特に犬の場合はリードを連結するための用具として重要な役割を果たす。
【０００３】
ペット用首輪としては両端に任意の長さで係止可能な係止具を設けた帯状又は紐状の首輪本体に、リードの連結具を連結するための連結環を設けたものが知られている。
【０００４】
一方、首輪本体に対し複数の連結環を遊動自在に外挿した首輪が提案されている（特許文献１）。前記公知考案においては、リードとの接続部分を複数とすることにより、首輪とリードとの連結金具のいずれかが、はずれたり、破損した場合でも、他の連結環で首輪とリードが接続されたままとなるので、動物の逃走を防ぐことを可能とする効果を狙っている。
【０００５】
【特許文献１】特開２００２−２７２３０３号公報
【考案の開示】
【考案が解決しようとする課題】
【０００６】
前記したように犬用の首輪はリードを連結するための用具として重要な役割を果たす。この場合、状況によって首輪からリードを外して犬を自由に走らせたり、あるいは犬の逃走を防ぐためや、柱などに繋ぐためにリードを連結する場面がある。
【０００７】
ところで、被毛が長い犬種の場合、往々にして首輪が被毛に埋もれてしまいリードとの連結環が視認できない場合がある。この場合、リードを連結するに際し連結環をなかなか探し出せないこととなる。例えば興奮している犬の逃走を防ぐためや、外出時の店先で犬を柱などに繋ぐ場面では迅速に行なわなければならず、気がせいていることも相まってリードの連結に手間取るという不都合が生じた。
【課題を解決するための手段】
【０００８】
この考案は以上の従来技術の問題点に鑑みて創作されたものであり、両端に任意の長さで係止可能な係止具を設けた帯状又は紐状の首輪本体と、リードの連結具を連結するための連結環からなる首輪において、互いに間隔をおいた首輪本体の複数箇所に分布して複数の連結環を固定したことを特徴とする。
【考案の効果】
【０００９】
首輪が被毛に埋もれてしまいリードとの連結環が視認できないという前記の状況下においては飼い主は手さぐりで連結環を捜し当てている。この考案の首輪によれば連結環は互いに間隔をおいた首輪本体の複数箇所に分布して固定されているので、手さぐりで首輪を辿っていけば直近の連結環に辿り着き、連結環を容易に探し出すことができる。
【００１０】
また、犬の被毛の具合によっては複数の連結環のうちの一部が露出していることも期待でき、連結環を容易に探し出すことができる。
【００１１】
一方、従来技術においては連結環が視認できている場合でも、例えば大型犬の場合は連結環が犬の体の反対側にある場合はそちらに回り込んでリードを連結しなければならなかったが、この考案によれば連結環は互いに間隔をおいた首輪本体の複数箇所に分布して固定されているので、連結環のうちのどれかが手前側にある場合があり、回り込まずともリードを連結することが可能となる。
【図面の簡単な説明】
【００１２】
【図１】この考案の首輪の非係止状態の斜視図。
【図２】同上、連結環箇所の断面図。
【図３】この考案の首輪の係止状態の斜視図。
【図４】同上、異なる角度から観察した斜視図。
【図５】この考案の首輪の異なる実施例の係止状態の斜視図。
【考案を実施するための形態】
【００１３】
以下、この考案の首輪の具体的な実施例を添付図面に基づいて説明する。図１〜図４はこの考案の首輪の第１実施例を示す図である。図中符号１は皮革や合成樹脂、布などからなる帯状又は紐状の首輪本体であり、ここでは帯状のものを採用している。この首輪本体１の両端には任意の長さで係止可能な係止具が設けられ、ここでは係止具としてバックル２とベルト孔５を採用している。このバックル２は首輪本体１の端部に回動自在に固定されるフレーム３と係止ピン４からなる公知の構造のものであり、図２に示すように首輪本体１の他端をフレーム３に挿通し、係止ピン４を首輪本体に穿設した複数のベルト孔５のうちの任意のものに挿入することにより首輪本体の両端を任意の長さで係止する。
【００１４】
図中符号１０は連結環であり、ナスカンなどのリード側の連結具が連結可能な環状に構成される。この連結環１０は首輪本体１の互いに間隔をおいた複数箇所に分布して固定されるものであり、この実施例においては略１２０度置きに３個の連結環が固定されている。この実施例においては上記連結環１０は首輪本体に対し擺動することにより起伏自在に固定されるものであり、図２に示すように連結環の下方に設けた軸１１を首輪本体１に設けた軸孔Ｈに挿通することにより、首輪本体に対し擺動可能としている。なお、軸孔Ｈは首輪本体１を表裏２枚合わせに積層し、その間に軸孔を構成する非積層部を設けることにより得てもよい。
【００１５】
図５はこの考案の首輪の異なる実施例を示す図である。この実施例においては略９０度おきに４個の連結環１０を首輪本体１に固定している。なお、連結環の個数は以上の実施例における個数に限定されないことは勿論である。
【符号の説明】
【００１６】
１      首輪本体
１０    連結環
【図１】
0003172342.tif 000003
【図２】
0003172342.tif 000004
【図３】
0003172342.tif 000005
【図４】
0003172342.tif 000006
【図５】
0003172342.tif 000007
(57)【要約】      （修正有）【課題】歯の隙間にある残留物の除去と舌苔の除去も出来る様にした多機能デンタルフロスブラシを提供する。【解決手段】上記デンタルフロスブラシは、棒体１０とフロス１２及び複数のブラシ毛１４により構成する。棒体の一端に、二つの延伸部材１０２を設け、延伸部材同士の間に、フロスを固定し、また、棒体の少なくとも一つの所定面に複数のブラシ毛を分散させて植毛し、棒体上にあるブラシ毛で、舌の上にある舌苔や牙齒表面の汚染物を除去する。【選択図】図１
0003172374.tif 000002
【実用新案登録請求の範囲】
【請求項１】
一端に、二つの延伸部材があり、延伸部材同士の間に、フロスが固定される棒体と、
当該棒体の少なくとも一つの所定面に分布される複数のブラシ毛と、
が含有される、
ことを特徴とするデンタルフロスブラシ構造。
【請求項２】
当該ブラシ毛は、当該延伸部材同士の間に位置することを特徴とする請求項１に記載のデンタルフロスブラシ構造。
【請求項３】
当該ブラシ毛同士は、所定間隔で離れていることを特徴とする請求項１に記載のデンタルフロスブラシ構造。
【請求項４】
当該ブラシ毛は、プラスチックやゴムからなることを特徴とする請求項１に記載のデンタルフロスブラシ構造。
【請求項５】
当該ブラシ毛は、当該延伸部材の一つの表面に分布することを特徴とする請求項１に記載のデンタルフロスブラシ構造。
【考案の詳細な説明】
【技術分野】
【０００１】
本考案は、デンタルフロスブラシに関し、特に、歯の隙間を清潔、残留物を除去するためのデンタルフロスブラシで、それとともに、舌苔を清潔する効果が得られるデンタルフロスブラシの構造に関する。
【背景技術】
【０００２】
口腔清潔は、重要なことであり、特に、歯の清潔が、最も重要的であり、歯を清潔する場合、多い一部の人は、朝起きてから、や夜寝る前に、歯を磨いて、歯を清潔するが、歯は、食後が、容易に浸食される時間であり、それは、食後から、酸濃度が高くなりつつ、清潔しなければ、歯が、損害されることになり、また、歯ブラシだけを使用すると、歯ブラシが、歯だけに対して清潔するから、舌の上の舌苔を除去することなく、口の臭みが、徹底的に消滅されない。
【０００３】
デンタルフロスブラシで、歯の隙間を清潔することが、一般の常識になっていて、その機能や実行方式は、主として、デンタルフロスブラシのフレームにセットされたデンタルフロスを、歯の隙間に挟み込んで清潔し、或いは、その末端の鋭い部で、食物残留物を除去し、非常に便利的かつ実用的であるもので、その普及率も高くなっているが、人が、口腔で、食物を噛む時、歯の隙間に残留物が堆積され、食事をする時、舌の表面に散在される味蕾に、一層の舌苔が形成され、当該舌苔が、口の匂いや美観に悪影響を与え、人間関係にも悪影響を与え、それから、病気の源泉になり、そのため、適当に、常に舌苔を清潔すれば、人体の保健に有利であり、また、従来の舌苔を清潔ブレードは、体積が大きくて、携行や使用に不便であるため、利用率や普及率が高くない。
【０００４】
上記の従来の清潔方式は、歯の表面を清潔できるが、舌の表面にある舌苔を、除去できないから、デンタルフロスブラシが登場し、舌の表面にある舌苔を除去することに供される。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、棒体上にあるブラシ毛で、舌の上にある舌苔や歯の表面にある汚染物を除去できる多機能のデンタルフロスブラシを提供する。
【０００７】
本考案の他の目的は、棒体上にあるブラシ毛で、ユーザーが、口を閉める状態で、使用することができ、使用するとき、より美観的になる多機能のデンタルフロスブラシを提供する。
【０００８】
本考案の更に他の目的は、歯肉の表面にある汚染物を除去できる多機能のデンタルフロスブラシを提供する。
【０００９】
本考案の更に他の目的は、歯肉に対して、局部にマッサージでき、快適感を得られる多機能のデンタルフロスブラシを提供する。
【課題を解決するための手段】
【００１０】
本考案は、上記目的を達成するため、デンタルフロスブラシの構造改良であり、一端に、二つの延伸部材があり、当該延伸部材同士の間に、フロスが固定される棒体と、当該棒体の少なくとも一つの所定面に分布される複数のブラシ毛（たとえば、プラスチックやゴム）と、が含有される。当該ブラシ毛は、当該延伸部材同士の間に位置する。当該ブラシ毛同士は、所定間隔で離れている。
【００１１】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１２】
図１と図２を参照しながら、本考案に係るデンタルフロスブラシ1は、一端に、二つの延伸部材102があり、当該延伸部材102同士の間に、フロス12が固定される棒体10と、当該棒体10の少なくとも一つの所定面に分布される複数のブラシ毛14(例えば、プラスチックやゴム)と、が含有される。
【００１３】
前記ブラシ毛14は、当該延伸部材102同士の間に位置する。当該ブラシ毛14同士は、所定間隔で離れている。
【００１４】
上記の構造によれば、本考案の使用状態は、図３のように、図から分かるように、棒体10上にある複数のブラシ毛14(プラスチックを例とする)で、直接に、舌の上を往復に刷って、舌2の上にある舌苔20を除去でき、また、同時、臭みも除去される。
【００１５】
また、ブラシ毛14によりも、歯の表面や歯肉について、汚染物を除去でき、歯肉に対して局部にマッサージ(図に未表示)でき、そのため、棒体10上にあるブラシ毛14により、汚染物が残さず、口腔を清潔でき、また、歯肉に対して適当にマッサージでき、快適感が得られ、同時に、歯肉上にある粘膜を除去でき、口腔が、より快適になり、多機能デンタルフロスブラシの目的が実現される。
【００１６】
また、図４は、本考案の他のより良い実施例であり、ブラシ毛14ａは、その当該延伸部材102ａの一つの表面に分布され、このような構造によっても、舌に対して、汚染物を除去できる。そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案のより良い実施例の立体概念図
【図２】本考案のより良い実施例の側面図
【図３】本考案のより良い実施例の使用状態概念図
【図４】本考案の他のより良い実施例の立体概念図
【符号の説明】
【００１９】
デンタルフロスブラシ    1
棒体    10
延伸部材    102、102a
フロス    12
ブラシ毛    14、14a
舌頭    2
舌苔    20
【図１】
0003172374.tif 000003
【図２】
0003172374.tif 000004
【図３】
0003172374.tif 000005
【図４】
0003172374.tif 000006
(57)【要約】【課題】  特に電力を用いず、安価であることから、手軽に購入できると共に、自ら簡単にマッサージができるマッサージタオルを提供する。【解決手段】タオル本体及び複数のマッサージボールを有し、その内、該タオル本体は、内部に長手方向に沿って複数の収容空間が形成され、該複数のマッサジーボールは、該各収容空間にそれぞれ設置されるものを提供する。【選択図】  図１
0003172379.tif 000002
【実用新案登録請求の範囲】
【請求項１】
内部に長手方向に沿って複数の収容空間が形成されるタオル本体と、
前記各収容空間にそれぞれ設置される複数のマッサージボールとを有することを特徴とするマッサージタオル。
【請求項２】
前記複数の収容空間を封止するように、前記タオル本体の一側にジッパーが設けられることを特徴とする請求項１に記載のマッサージタオル。
【請求項３】
前記マッサージボールが軟性のボールであることを特徴とする請求項１又は２に記載のマッサージタオル。
【請求項４】
隣接する前記収容空間の間に縫合ラインが形成されることを特徴とする請求項３に記載のマッサージタオル。
【考案の詳細な説明】
【技術分野】
【０００１】
本考案は、特に簡単にマッサージをすることができるマッサージタオルに関するものである。
【背景技術】
【０００２】
現代の人間は、長時間仕事をしたり、家事をしたり、忙しい生活を過ごしているので、運動不足やストレスなどの原因で筋肉痛や肩凝りなどの症状がよく出る。そのような筋肉痛や肩凝りなどが出た時は通常、専門家であるマッサージ師や指圧師の治療を受けることにより、或いは、電動のマッサージチェアを購入することにより、それらの症状を解消している。
【考案の概要】
【考案が解決しようとする課題】
【０００３】
体の筋肉を解す場合は、マッサージ師や指圧師、或いはマッサージチェアにより行なうことはできるが、マッサージや指圧の料金、またマッサージチェアの購入費用は安くないと共に、マッサージチェアは機械であることから、所定の作動範囲に限られるので、人々の体格又は各ツボの位置に対応していない。
【０００４】
また、前記の方法以外に、手動式のマッサージ器具もたくさんあり、使用者は、その器具を用いて自ら筋肉を解したり、ツボを指圧したりマッサージをすることができるが、長時間に亘り使用すると、使用者の手が疲れて痛みが出る場合があるので、長時間続けることはできない。
【課題を解決するための手段】
【０００５】
本考案に係るマッサージタオルは、内部に長手方向に沿って複数の収容空間が形成されるタオル本体と、前記各収容空間にそれぞれ設置される複数のマッサージボールとを有するものである。
【０００６】
前記複数の収容空間を封止するように、前記タオル本体の一側にジッパーが設けられることが好ましい。
【０００７】
前記マッサージボールが軟性のボールであることが好ましい。
【０００８】
隣接する前記収容空間の間に縫合ラインが形成されることが好ましい。
【考案の効果】
【０００９】
本考案に係るマッサージタオルは上記の如く、使用者が自分でマッサージすることができると共に、製造コストも低いので、手軽に購入することができる。
【図面の簡単な説明】
【００１０】
【図１】本考案に係るマッサージタオルの正面透視図である。
【図２】本考案に係るマッサージタオルの側面断面図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１及び図２に示すように、本考案に係るマッサージタオルは、タオル本体１０と、マッサージボール２０とを有し、その内、該タオル本体１０は、矩形のタオル生地を半分に折り畳み、内部に長手方向に沿うように複数の収容空間１１が形成されると共に、一側に、該複数の収容空間１１を封止するためのジッパー１２が設けられ、また、タオル本体１０の長手方向に垂直するように、間隔をおいて複数の縫合ライン１３が設けられる。なお、隣接する該収容空間１１の間に縫合ライン１３が形成される。
【００１３】
前記複数のマッサージボール２０はそれぞれ、前記収容空間１１に設置され、そのマッサージボール２０によって、タオル本体１０の収容空間１１を膨らませて、タオル本体１０の表面を凹凸状にする。尚、前記マッサージボール２０は、軟性のボールであることが好ましい。また、前記ジッパー１２を開ければ、収容空間１１に収容されているマッサージボール２０を変更することができる。
【００１４】
また、本考案に係るマッサージタオルを使用する時は、先ず、例えば、壁やベッドなどの硬い表面に置き、使用者がマッサージタオルの上に体を寄せ掛けて使用者の好みに応じて体を移動させ、マッサージボール２０で背、脊椎、肩、首、下肢などの部位を押圧してマッサージを行う。
【００１５】
更に、使用者がマッサージタオルを使用する時、凝っている部位やツボに対応するように、マッサージタオルを移動させながらマッサージすることで、症状を緩和することができる。
【産業上の利用可能性】
【００１６】
本考案は上記の構成を有し、安価なタオル生地と、入手し易い軟性のボールから構成されるであることから、製造コストを低く抑えることができるので、消費者が手軽に購入することができ、さらに、このマッサージタオルでマッサージをする時には、電力を使用することはないので、省エネにもなり、体積が小さくて簡単に収納できるので、外出時に携帯し易いと言う利点もある。
【符号の説明】
【００１７】
１０          タオル本体
１１          収容空間
１２          ジッパー
１３          縫合ライン
２０          マッサージボール
【図１】
0003172379.tif 000003
【図２】
0003172379.tif 000004
(57)【要約】      （修正有）【課題】チェーンを設けることで、内径の変更、調整を簡単に行なうことができるとともに、手首（足首）への装着が容易である装身具を提供する。【解決手段】装飾部材１を保持する弾力性を有する紐の両端を接合する留め具３を有し、留め具の紐との一方の接合箇所にサイズ調整用チェーン４を設け、留め具のチェーンへの取り付け位置を変えることにより内径を変えるようにする。【選択図】図１
0003172392.tif 000002
【実用新案登録請求の範囲】
【請求項１】
多数の装飾部材を紐にて保持し、紐の両端を留め具を介して連結、及び取り外しを可能にした装身具であって、留め具と紐との接合部分の一方にサイズ調整用チェーンの一端を取り付けるとともに、前記紐を弾力性を有する材質で構成したことを特徴とする装身具。
【請求項２】
請求項１に記載の装身具であって、前記弾力性を有する紐が、繊維状弾力性ゴム紐であることを特徴とする装身具。
【請求項３】
請求項１または２に記載の装身具であって、前記装飾部材が、ビーズ、及び／又は、貴金属、及び／又は、天然石であることを特徴とする装身具。
【請求項４】
請求項１乃至３の何れか一項に記載の装身具が、ブレスレット又はアンクレットであることを特徴とする装身具。
【考案の詳細な説明】
【技術分野】
【０００１】
本考案は内径の変更、調整を簡単に行なうことができる身体にはめて用いる装身具に関し、特に、手首又は足首への装着が容易なブレスレット又はアンクレットに関するものである。
【背景技術】
【０００２】
従来より、サイズ調整用チェーン等を用いて内径の変更、調整を簡単に行なうことが出来るブレスレット又はアンクレットが知られている。また、この装身具を構成する装飾部材（ビーズ、天然石など）をつなぐ芯材に伸縮可能な部材を用いて、手首又は足首への装着を簡単に行なうことができるブレスレット又はアンクレットも知られている。
【０００３】
しかしながら、従来のサイズ調整用チェーン等を用いたブレスレット（アンクレット）は、内径を（手首（足首）のサイズ）に合わせた状態（環状の状態）で装着しようとすると、装着するたびに、内径を調整したうえで片手で連結操作を行わなければならず、着脱が非常に面倒であるという問題があった。
【０００４】
また、従来の伸縮可能な部材を芯材に用いたブレスレット（アンクレット）は、装着は容易であるが、手首のサイズに合わせて内径を調整することができず、例えば、内径が小さい場合は、装着時における皮膚への圧迫を招き、逆に、内径が大きい場合は、ブレスレットが外れて、紛失や破損のおそれがあるという問題があった。
【先行技術文献】
【特許文献】
【０００５】
【特許文献１】実開平６−６２８１０号公報
【特許文献２】特開平８−３０８６１８号公報
【考案の概要】
【考案が解決しようとする課題】
【０００６】
このような実情に鑑み、本考案は、内径の変更、調整を簡単に行うことができ、更に手首（足首）への装着も容易に行なうことのできるブレスレット又はアンクレットを提供することを目的とするものである。
【課題を解決するための手段】
【０００７】
本考案は、装飾部材をその貫通孔に紐を通して保持し、紐の両端を留め具にて接合および外すことが可能な装身具であって、紐と留め具との取り付け位置の一方にサイズ調整用チェーンを設けるとともに、紐が弾力性を有する材質よりなるものである。
【０００８】
また、本考案は、弾力性を有する紐が、繊維状弾力性ゴム紐であることを特徴とするものである。
【０００９】
また、本考案は、装飾部材が、貴金属及び／又は天然石であることを特徴とするものである。
【考案の効果】
【００１０】
本考案のブレスレット又はアンクレットは、サイズ調整用チェーンを設けることにより、内径の変更や調整を簡単に行なうことができ、更に弾力性を有する紐を芯材に用いたことにより、環状のまま手首への装着を容易に行うことができる。
【図面の簡単な説明】
【００１１】
本考案の実施形態を図１、図２、図３に示す。
【００１２】
【図１】図１は、本考案の最小内径の実施例を示す図である。
【図２】図２は、本考案の最大内径の実施例を示す図である。
【図３】図３は、本考案の実施例を示す図である。
【考案を実施するための形態】
【００１３】
図１は内径が最小のブレスレットを示す。
本考案のブレスレット１０は、多数の装飾部材１を、夫々に設けた貫通孔に紐を通して保持し、紐の両端に設けられたリング２を利用して留め具３にてつなぎ合わせたものである。また、紐の先端のうち図面右側に設けられたリング２ａにサイズ調整用チェーン４の一端が接続されている。
【００１４】
この図１のブレスレットにおいて、留め具３を開いて留め具３からリング２ａをはずし、サイズ調整用チェーン４の先端４ａを留め具３に接続することにより、図２に示すように内径が最大のブレスレットにすることができる。
【００１５】
また、その逆の操作により、図２の内径最大のブレスレットから図１に示す内径最小のブレスレットにもどすことができる。
【００１６】
以上は、内径最大への変更について述べたが、留め具３とサイズ調整用チェーン４の他のカン、例えば４ｂとを結合することにより、最小内径と最大内径の間の適宜な内径のブレスレットとなる。
【００１７】
ここで、本考案のブレスレットは、各装飾部材を連結する紐がイラスティックゴムやオペロンゴムといった繊維状弾力性ゴム紐でできており、図３に示すように、この紐の弾力性を利用して、サイズ調整用チェーン４と留め具３との連結位置を変えることなくブレスレットの内径を変えることができる。
【００１８】
従って、ブレスレットを装着する前に、予めサイズ調整用チェーン４と留め具３との位置を装着する手首の大きさに合わせて調節しておき、装着時には、留め具３とサイズ調整用チェーン４とを連結したままの状態で、装飾部材を連結している紐の弾性を利用して、ブレスレットの内径を変えて（大きくして）ブレスレットを装着することができる。また、装着後は、紐の弾性によって、予め調節しておいた内径に戻るので、ブレスレットが外れるといった不具合は生じない。
【００１９】
なお、本考案のブレスレットは、異なる色彩の装飾部材を用いることにより、また、その並びも考えることにより、使用者の好みに合ったものや、古くから伝わる風水をもとにしたデザインや使用する者の誕生日に合わせたデザインのブレスレットになる。
【００２０】
次の表は、本考案の一実施例であり、装飾部材の２０種類の色を表にしたものである。
0003172392.tif 000003
この表にある色の組み合わせにより、各種色彩のブレスレットとなる。
【産業上の利用可能性】
【００２１】
本考案によれば、留め具とサイズ調整用チェーンとの連結を維持したままで、最小内径から最大内径まで内径を容易に変更することができる装着容易なブレスレットに適用できる。なお、上記実施例はブレスレットについて説明したが、本考案はアンクレット又はネックレスに適用することもできる。
【符号の説明】
【００２２】
１    装飾部材
２    リング
２ａ  リング
３    留め具
４    サイズ調整用チェーン
４ａ  チェーン先端
４ｂ  チェーン中間（カン）
１０  ブレスレット
【図１】
0003172392.tif 000004
【図２】
0003172392.tif 000005
【図３】
0003172392.tif 000006
(57)【要約】      （修正有）【課題】毛髪を巻きつけたあとピンなしで髪を固定することができるヘアカーラーを提供する。【解決手段】長手方向に伸縮可能な蛇腹構造部を有し、その蛇腹縮径部谷部で毛髪を挟み込める様にして中空状のヘアカーラーを形成する。使用に当たっては、ヘアカーラーの蛇腹構造部を伸ばして毛髪を蛇腹縮径部に挟みこみ、その後蛇腹構造部を縮めることにより、毛髪をピンを使用することなく固定することができる。【選択図】図２
0003172307.tif 000002
【実用新案登録請求の範囲】
【請求項１】
長手方向に伸縮可能な蛇腹構造部を有し、その蛇腹縮径部谷部で毛髪を挟み込む中空状のヘアカーラー。
【考案の詳細な説明】
【技術分野】
【０００１】本考案は頭髪を巻いてカールさせるためのヘアカーラーに関するものである。
【背景技術】
【０００２】従来のヘアカーラーは［図１］のようにプラスチック製のコア部とそれを覆うスポンジ体から構成されている。
【考案の開示】
【考案が解決しようとする課題】
【０００３】従来のヘアカーラー［図１］は毛髪をまきつけるときに、スポンジ体の表面に髪をまきつけた後、ピンを使用して固定しなくてはならない。
【課題を解決するための手段】
【０００４】［図２］の本考案の長手方向に伸縮可能な蛇腹構造部を有し、その蛇腹縮径部谷部で毛髪を挟み込む中空状のヘアカーラーを提供する。
【考案の効果】
【０００５】本考案のヘアカーラーの蛇腹構造部を伸ばして毛髪を蛇腹縮径部に挟みこみ、その後蛇腹構造部を縮めることにより、［図３］のように毛髪を固定することができる。
【実施例】
【０００６】［図３］のように本考案はピンなしで毛髪を固定することができる。
【産業上の利用可能性】
【０００７】［図３］のようにピンなしで毛髪を巻き付けることができるのでピンが必要なくなり、資源を節約できる。
【図面の簡単な説明】
【０００８】
【図１】従来のスポンジ体のヘアカーラー
【図２】本考案の長手方向に伸縮可能な蛇腹構造部を有すヘアカーラー
【図３】本考案のヘアカーラーの使用例
【図１】
0003172307.tif 000003
【図２】
0003172307.tif 000004
【図３】
0003172307.tif 000005